(57)【要約】【課題】より多くの外部の突出した角を有する消しゴムを提供する。【解決手段】所定形状の立体たる字消し体１を複数組み合わせてそれぞれの字消し体１が外方に突出した角Ｃを有する形状をなすとともに、前記字消し体１の幅寸法ｘ１、奥行き寸法ｘ１、高さ寸法ｘ１を全て消しゴムＥ１全体の対応する寸法Ｘ１、Ｙ１、Ｚ１よりも小さくした。【選択図】図１
2004034624.tif 000002
【特許請求の範囲】
【請求項１】
所定形状の立体を複数組み合わせてそれぞれの立体が外方に突出した角を有する形状をなすとともに、前記所定形状の立体の幅寸法、高さ寸法、奥行き寸法が全て全体の対応する寸法よりもそれぞれ小さいことを特徴とする消しゴム。
【請求項２】
前記所定形状の立体が多面体であることを特徴とする請求項１記載の消しゴム。
【請求項３】
複数の直方体又は立方体を辺同士のみが互いに接するように配置しているとともに、接する辺の部分に接合部を設けて連続した形状にしていることを特徴とする請求項２記載の消しゴム。
【請求項４】
コア部材の表面に前記所定形状の立体を配置した形状をなすことを特徴とする請求項１又は２記載の消しゴム。
【請求項５】
前記所定形状の立体が多面体又は錐体であることを特徴とする請求項４記載の消しゴム。
【発明の詳細な説明】
【０００１】
【発明の属する技術分野】
本発明は、複数の立体を組み合わせ、より多くの外部に突出した角を設けた消しゴムに関する。
【０００２】
【従来の技術】
従来、消しゴムは直方体状をなすものが広く用いられている。このような直方体状をなす消しゴムにおいて、角部を用いると少ない力で効果的に消すことができるとともに、細かい部分を有効に消すことができる。
【０００３】
【発明が解決しようとする課題】
しかし、このような消しゴムの角部は使用していくうちに磨耗し、最終的には角が取れて全表面が滑らかな連続した曲面となってしまう。このように全ての角が取れてしまうと、字消し作用を得るためにはより強い力が必要となるとともに、細かい部分を正確に消すことができにくくなる。そして、人によってはこのように角が取れて全表面が滑らかな連続した曲面となった消しゴムを使う気が失せてしまい、資源の無駄遣いにつながってしまうこともありうる。
【０００４】
本発明は以上に述べた課題を解決し、より多くの角を設けて少しでも長く使用できる消しゴムを提供するものである。
【０００５】
【課題を解決するための手段】
すなわち本発明に係る消しゴムは、所定形状の立体を複数組み合わせてそれぞれの立体が外方に突出した角を有する形状をなすとともに、前記所定形状の立体の幅寸法、高さ寸法、奥行き寸法が全て全体の対応する寸法よりも小さいことを特徴とする。
【０００６】
このようなものであれば、組み合わされた所定形状の立体がそれぞれ外方に突出した角を有するので、それぞれの立体が有する角部を順次使うようにできるとともに、多数の立体を組み合わせてより多くの角部を設けることができるようになる。さらに、複数の立体を接合部を介して連結するとともに、接合部を切断して新たな角を生み出すような構成にすることもできるようになる。なお、「前記所定形状の立体の幅寸法、高さ寸法、奥行き寸法が全て全体の対応する寸法よりもそれぞれ小さい」とは、前記所定形状の立体の幅寸法が消しゴム全体の幅寸法よりも小さいとともに、前記所定形状の立体の高さ寸法が消しゴム全体の高さ寸法よりも小さく、さらに前記所定形状の立体の奥行き寸法が消しゴム全体の奥行き寸法よりも小さいことを示す。また、「外方に突出した角」とは、角部を有する形状をなす前記所定形状の立体の角部及び／又は外方に突出した形状をなす錐体の頂点等所定形状の立体の先端を含む概念である。
【０００７】
このような消しゴムの簡単な構成として、前記所定形状の立体が多面体であるものが挙げられる。このようなものであれば、多面体の頂点を外方に突出した角として使用するようにできる。ここで、多面体とは表面がすべて多角形をなす立体である。
【０００８】
さらにより多くの角を使用できるようにするには、複数の直方体又は立方体を辺同士のみが互いに接するように配置しているとともに、接する辺の部分に接合部を設けて連続した形状にすればよい。このように構成すれば、角が取れた部分を含む前記立体を外して新たな角を生成することができるからである。
【０００９】
また、このような消しゴムの他の簡単な構成としてコア部材の表面に前記所定形状の立体を配置したものを挙げることができる。
【００１０】
特に、前記所定形状の立体が多面体又は錐体であれば、これら多面体又は錐体の頂点を角として用いることができ、さらに効果的に消しゴムの角を用いる効果を得ることができる。さらに、前記所定形状の立体が直方体状又は立方体状をなすものであれば、直方体状又は立方体状をなす消しゴムを多数組み合わせた簡単な形状で上述した効果を得ることができる。
【００１１】
なお、本発明に係る消しゴムは、ゴム製のものだけでなく、プラスチック樹脂と可塑剤とを主成分とするプラスチック系のものも含む。
【００１２】
【発明の実施の形態】
以下に本発明の第１実施形態について述べる。
【００１３】
本実施形態に係る消しゴムＥ１は、斜視図を図１、平面図を図２、正面図を図３、側面図を図４にそれぞれ示すように、所定形状の立体たる立方体状をなす字消し体１を接合部２により接合し、全体として略直方体状をなす。そして、型枠にプラスチック樹脂と可塑剤とを主成分とする字消し材を流し込む型枠成形により形成されている。
【００１４】
より具体的には、図１〜４に示すように、前記字消し体１を辺同士のみが互いに接するように互い違いに配置しているとともに、接する辺の部分を接合部２により接合した形状をなす。すなわち、立方体状をなす字消し体１を各面の対角線方向に隣接させて配置し、全体として略直方体状をなすように形成している。本実施形態では、前記字消し体１の幅寸法、奥行き寸法、及び高さ寸法である１辺の長さｘ１はこの消しゴムＥ１全体の幅寸法Ｘ１の５分の１であり、同じく消しゴムＥ１全体の奥行き寸法Ｙ１及び高さ寸法Ｚ１のいずれも半分である。
【００１５】
しかして、この消しゴムには、外方に突出した角Ｃが２８箇所存在する。これらの角Ｃは、この消しゴムの外側に位置する角Ｃから順次使われていき、角Ｃが磨耗して取れた際には接合部２を切断してその角を含む字消し体１を取り除くことにより内側に位置する角Ｃが外側に位置するようになる。さらに、接合部２を切断した跡の切り口も角として使用することができるとともに、取り除かれた側の字消し体１の切り口部分にも角が発生して、この角も使用できるようにしている。
【００１６】
このように構成することにより、従来の直方体状の消しゴムと比較して多くの角Ｃを利用することができる。さらに、立方体状をなす字消し体１と、同じく立方体状をなす切欠とを互い違いに設けた形状をしているので、切欠部分がグリップの役目を果たしてつかみやすい。そして、この消しゴムＥ１を落としてもこのような形状をしているので落下の衝撃が吸収され、弾んで転がっていきにくい。
【００１７】
次に、本発明の第２実施形態について述べる。
【００１８】
本実施形態に係る消しゴムＥ２は、平面図を図５、正面図を図６、図５におけるａ−ａ断面図を図７にそれぞれ示すように、立方体状をなすコア部材３の六面に、このコア部材と同一の大きさの所定形状の立体たる立方体状をなす字消し体４を配置した形状をなす。この字消し体４の幅寸法、奥行き寸法、及び高さ寸法である１辺の長さｘ２は、この消しゴムＥ２全体の幅寸法Ｘ２、奥行き寸法Ｙ２、及び高さ寸法Ｚ２と比較して、いずれも３分の１である。そして、前記コア部材３及び前記字消し材４は、型枠にプラスチック樹脂と可塑剤とを主成分とする字消し材を流し込む型枠成形により一体に形成される。
【００１９】
しかして、この消しゴムには、外方に突出した角Ｃが２４箇所存在する。これらの角は順次使われていき、全ての角が取れた際には字消し体４を取り除くことにより前記コア部材３が表面に現れ、このコア部材の８箇所の角をさらに使用するようにしている。また、取り除かれた字消し体４の切り口の部分にも角が発生して、この角も使用できるようにしている。
【００２０】
このように構成することにより、字消し体４の外方に突出した合計２４箇所の角Ｃを全て使用できるので、従来の直方体状の消しゴムと比較して多くの角Ｃを利用することができる。
【００２１】
なお、この発明は上述した実施形態に限られない。以下に変形例をいくつか示すが、上述した実施形態に対応する部分には同一の名称及び符号を付している。
【００２２】
例えば、図８に示すように、上述した第１実施形態の立方体状をなす字消し体１に替えて、直方体状の字消し体５を用いた消しゴムＥ３のように構成してもよい。
【００２３】
また、上述した第２実施形態の立方体状をなす字消し体４の大きさを、コア部材３より小さくしてもよい。また、前記字消し体４に替えて、図９及び図１０に示すように、四角錐状の字消し体６をコア部材３の表面に配置した消しゴムＥ４のように構成してもよい。さらに前記字消し体６に替えて、多角錐状や円錐状の字消し体を、底面をコア部材に連続させた状態で配置してもよい。一方、コア部材３も、立方体状でなく、直方体状でもよいし、多面体状や球状等、その他の形状でももちろんよい。
【００２４】
さらに、上述した第１実施形態に示す消しゴムＥ１に、平面図を図１１に示すように、表面を被覆するカバーＣｏを別途設けてもよい。この場合、一端部にある字消し体１だけを露出させるようにして、この字消し体１の角Ｃが取れ次第、角が取れた字消し体１を取り除いて新たに端部を形成するようになった字消し体１を露出させるようにするとよい。このように構成する場合、字消し体１を効果的に露出させるべく、カバーＣｏに字消し体１の幅寸法ｘ１と同じ間隔で切れ目促進部Ｋを入れるようにするとよい。
【００２５】
加えて、材質は上述した実施形態で示したプラスチック系のものでもよいし、ゴム系のものでもよい。
【００２６】
その他、本発明の趣旨を損ねない範囲でさまざまに変形してよい。
【００２７】
【発明の効果】
本発明は、幅寸法、高さ寸法、奥行き寸法が全て全体の対応する寸法よりも小さい所定形状の立体を複数組み合わせ、それぞれの立体が外方に突出した角を有する形状をなすように構成しているので、従来の直方体状の消しゴムと比較してより多くの角を使用することができ、従って細かい部分の正確な消去を楽にすることができる。
【図面の簡単な説明】
【図１】本発明の第１実施形態に係る消しゴムの斜視図。
【図２】同実施形態に係る消しゴムの平面図。
【図３】同実施形態に係る消しゴムの正面図。
【図４】同実施形態に係る消しゴムの側面図。
【図５】本発明の第２実施形態に係る消しゴムの平面図。
【図６】同実施形態に係る消しゴムの正面図。
【図７】図５におけるａ−ａ断面図。
【図８】本発明の他の実施形態に係る消しゴムの斜視図。
【図９】本発明の他の実施形態に係る消しゴムの斜視図。
【図１０】同実施形態に係る消しゴムの平面図。
【図１１】本発明の他の実施形態に係る消しゴムの平面図。
【符号の説明】
Ｅ１、Ｅ２、Ｅ３、Ｅ４…消しゴム
１、４、５、６…字消し体（所定の形状の立体）
２…接合部
３…コア部材
ｘ１、ｘ２…字消し体の１辺の長さ（所定の形状の立体の幅寸法、奥行き寸法、高さ寸法）
Ｘ１、Ｘ２…消しゴム全体の幅寸法
Ｙ１、Ｙ２…消しゴム全体の奥行き寸法
Ｚ１、Ｚ２…消しゴム全体の高さ寸法
【図１】
2004034624.tif 000003
【図２】
2004034624.tif 000004
【図３】
2004034624.tif 000005
【図４】
2004034624.tif 000006
【図５】
2004034624.tif 000007
【図６】
2004034624.tif 000008
【図７】
2004034624.tif 000009
【図８】
2004034624.tif 000010
【図９】
2004034624.tif 000011
【図１０】
2004034624.tif 000012
【図１１】
2004034624.tif 000013